(57)【要約】【課題】  反転動作時の原稿位置を常に一定に保持することが可能な両面原稿読取り装置を提供する【解決手段】  原稿をセットする原稿セット部１、原稿を1枚毎に分離する原稿分離部２、原稿分離部２から読取り部４への搬送通路３、原稿情報を読取る読取り部４、読取り部４から排紙部への排紙通路５、反転および排紙を切り換える切換板７、反転の際、原稿を収納する反転トレー部６、反転トレー部６に設けられたスイッチバック用ローラ８、反転原稿を搬送通路３へ戻す反転通路９を備え、反転トレー部６に原稿位置合わせ手段１１〜１４を備える。【選択図】  図２
2005089039.tif 000002
【特許請求の範囲】
【請求項１】
原稿をセットする原稿セット部、原稿を1枚毎に分離する原稿分離部、原稿分離部から読取り部への搬送通路、原稿情報を読取る読取り部、読取り部から排紙部への排紙通路、反転および排紙を切り換える切換板、反転の際、原稿を収納する反転トレー部、反転トレー部に設けられたスイッチバック用ローラ、反転原稿を搬送通路へ戻す反転通路を備え、反転トレー部に原稿位置合わせ手段を備える両面原稿読取り装置。
【請求項２】
請求項１記載の両面原稿読取り装置において、原稿位置合わせ手段は、切換板の幅方向両側に設けられて幅方向へ進退可能に支持され幅方向内側へ移動したときに原稿端縁を押圧する原稿位置合わせ板、原稿位置合わせ板に取り付けられ切換板の幅方向外側に原稿位置合わせ板を引張るスプリング、切換板が取り付けられている両側板に固定され切換板の上下動作時に原稿位置合わせ板に摺接してこれを幅方向内側へ作動させる突起部からなることを特徴とする両面原稿読取り装置。
【発明の詳細な説明】
【技術分野】
【０００１】
本発明は、画像形成装置に用いられる両面原稿読取り装置に関する。
【背景技術】
【０００２】
原稿をセットする原稿セット部、原稿を1枚毎に分離する原稿分離部、原稿分離部から読取り部への搬送通路、原稿情報を読取る読取り部、読取り部から排紙部への排紙通路、反転および排紙を切り換える切換板、反転の際、原稿を収納する反転トレー部、反転トレー部に設けられたスイッチバック用ローラ、反転原稿を搬送通路へ戻す反転通路を備え、各通路内に原稿を循環させながら、原稿の両面の画像を読取る両面原稿読取り装置が知られている。
【発明の開示】
【発明が解決しようとする課題】
【０００３】
従来の両面原稿読取り装置においては、反転トレー部での原稿位置が搬送通路でのスキュー等でばらつくと、読取り位置での読取り範囲を守れず、原稿の情報が正確に読取れなかったり、原稿が搬送通路の側板にぶつかりジャムとなってしまう不具合があった。
本発明は、反転動作時の原稿位置を常に一定に保持することが可能な両面原稿読取り装置を提供することを目的とする。
【課題を解決するための手段】
【０００４】
上記目的を達成するために、請求項１記載の発明は、原稿をセットする原稿セット部、原稿を1枚毎に分離する原稿分離部、原稿分離部から読取り部への搬送通路、原稿情報を読取る読取り部、読取り部から排紙部への排紙通路、反転および排紙を切り換える切換板、反転の際、原稿を収納する反転トレー部、反転トレー部に設けられたスイッチバック用ローラ、反転原稿を搬送通路へ戻す反転通路を備え、反転トレー部に原稿位置合わせ手段を備えることを特徴とする。
請求項２の発明は、請求項１記載の両面原稿読取り装置において、原稿位置合わせ手段は、切換板の幅方向両側に設けられて幅方向へ進退可能に支持され幅方向内側へ移動したときに原稿端縁を押圧する原稿位置合わせ板、原稿位置合わせ板に取り付けられ切換板の幅方向外側に原稿位置合わせ板を引張るスプリング、切換板が取り付けられている両側板に固定され切換板の上下動作時に原稿位置合わせ板に摺接してこれを幅方向内側へ作動させる突起部からなることを特徴とする。
【発明の効果】
【０００５】
本発明によれば、反転動作時の原稿位置が常に一定になり、スキューによる情報欠落或いはジャムといった致命的な障害を回避することができる。
【発明を実施するための最良の形態】
【０００６】
以下、本発明の実施の形態を図面に従って説明する。
図１は本発明の実施の形態に係る両面原稿読取り装置の構成図である。その構成を動作と併せて説明する。
原稿セット部１に原稿をセットすると、原稿束は原稿分離部２で１枚ずつに分離され、搬送通路３に沿って読取り部４のコンタクトガラス上に搬送される。読取り部４ではコンタクトガラス直下に配置された密着センサ或いはＣＣＤにより、まず、第１面（表面）の情報が読取られる。
表面の読取りを終了した原稿は排紙通路５を通って反転トレー部６に搬送される。この時、切換板７は先端を下げて原稿をすくい上げ、反転トレー部６に導き、原稿の後端が排出された時点で先端を上げる。この切換板７の動作に伴って、切換板７に設けられた原稿位置合わせ板が作動して原稿を所定の位置に合わせる（詳細は図２で後述する）。
原稿の位置が合った時点でスイットチバック用ローラ８が反転する。これにより原稿は反転通路９を通して、最初に通った原稿分離部２から読取り部４への搬送通路３に戻され、読み取り部４にて今度は第２面（裏面）の読取りが行われる。
裏面の読取りが終了したら、再度同じ様に反転動作を行う。この動作は読取りを行うのではなく、原稿セット部１に原稿をセットした状態に排紙状態を合わせるために行う。最終の排出時は切換板７を上げた状態にして原稿を排紙トレー部１０に排出する。結局、原稿は搬送通路３、排紙通路５、反転通路９を３周する過程でその両面が読取られることになる。
【０００７】
図２は原稿位置合わせ手段の構成図である。原稿位置合わせ手段は、切換板７の両側に切換板７のガイド溝７ｂに沿って幅方向（内外方向）へ移動可能に設けられた原稿位置合わせ板１１と、原稿位置合わせ板１１を外側（図面左方）に引張る様に取り付けられたスプリング１２と、切換板７が取り付けられた側板１３に設けられ原稿位置合わせ板１１を動かして原稿を所定の位置に移動させる突起１４からなる。突起１４は固定されており、切換板７が上下動する過程で位置合わせ板１１の外側端部と、突起１４の傾斜面１４ａが摺動することにより、スプリング１２に抗して位置合わせ板１１を内外方向へ進退させる。
回動軸７ａを中心として切換板７が下がっている時には、突起１４が位置合わせ板１１と干渉しないため、原稿位置合わせ板１１はスプリング１２の力により外側へ一番開いた状態になっている。切換板７が上がると、側板１３の突起１４の傾斜面１４ａにより押圧されて原稿位置合わせ板１１は内側に移動し、スキュー等で所定の位置に来なかった原稿の幅方向端縁を内側に押圧して、所定の位置に戻す。
これにより、反転動作時の原稿位置は常に一定になり、スキューによる情報欠落或いはジャムといった致命的な障害を回避できる。もちろん、位置合わせ板１１の移動は側板１３の突起１４ではなく、ソレノイド等を使って行うことも可能である。
【図面の簡単な説明】
【０００８】
【図１】本発明の実施の形態に係る両面原稿読取り装置の構成図である。
【図２】原稿位置合わせ手段の構成図である。
【符号の説明】
【０００９】
１  原稿セット部
２  原稿分離部
３  搬送通路
４  読取り部
５  排紙通路
６  反転トレー部
７  切換板
８  スイッチバック用ローラ
９  反転通路
１０  排紙トレー部
１１  原稿位置合わせ板
１２  スプリング
１３  側板
１４  突起
【図１】
2005089039.tif 000003
【図２】
2005089039.tif 000004